(57)【要約】      （修正有）【課題】汚染された農業用水を田畑に取り込む前に除染し、且つ除染と並行して田畑も使用できるようにする水の除染設備を提供する。【解決手段】水中の放射性物質を吸着できる吸着材を通水性の容器４に充填し、その吸着材入りの容器４を汚染水Ｗａの取込口３の周囲を囲むように水田２に複数並べて配置する。汚染水Ｗａが複数の容器４内に流入すると、水中の放射性物質が吸着材で除去され、その除染水Ｗｂが容器４で囲まれた場所の外側へ流れ出る。したがって、汚染されていない別の水源から給水したり、水源の全ての水の除染を待つことなく、除染しながら水田２を使用できるようになる。【選択図】図１
0003180436.tif 000002
【実用新案登録請求の範囲】
【請求項１】
放射性物質で汚染された水路の水を除染する除染設備であって、水中の放射性物質を吸着できる吸着材を通水性の容器に充填し、その吸着材入り容器を水路の水を外部へ排出する水の取込口の周囲を囲むように水路の外側に複数並べて配置し、吸着材入り容器内に流入した取込口からの水が吸着材で除染された後に吸着材入り容器で囲まれた場所の外側へ流れ出るようにしたことを特徴とする、放射性物質で汚染された水の除染設備。
【請求項２】
水の取込口と吸着材入り容器で囲まれた位置との中間に取り込まれた水を複数の吸着材入り容器へ分散させる分散板を設置した、請求項１記載の放射性物質で汚染された水の除染設備。
【請求項３】
吸着材が、稲わら又は籾殻を網袋に詰めたもので、その網袋を下面に突起を備えた蓋で加圧して吸着材を押し込むように充填して容器に封止された、請求項１又は２記載の放射性物質で汚染された水の除染設備。
【請求項４】
容器の手掛け用の縁片を掛止する凹部を備えたスタンドでもって複数の充填材入り容器を脱着自在に連接して配置した、請求項１〜３いずれか記載の放射性物質で汚染された水の除染設備。
【請求項５】
吸着材入り容器を通過した除染された水を容器外側で集めて再び水路へ戻すようにした請求項１〜４記載の放射性物質で汚染された水の除染設備。
【請求項６】
放射性物質で汚染された水源の農業用水を田畑に取り込む前に除染する除染設備であって、水中の放射性物質を吸着できる吸着材を通水性の容器に充填し、その吸着材入り容器を農業用水の取込口周囲を囲むように田畑に複数並べて配置し、吸着材入り容器内に流入した農業用水が吸着材で除染された後に吸着材入り容器で囲まれた場所の外側へ流れ出るようにしたことを特徴とする、放射性物質で汚染された農業用水の除染設備。
【請求項７】
農業用水の取込口と吸着材入り容器で囲まれた位置に取り込まれた農業用水を複数の吸着材入り容器へ分散させる分散板を設置した、請求項６記載の放射性物質で汚染された農業用水の除染設備。
【請求項８】
吸着材が、稲わら又は籾殻を網袋に詰めたもので、その網袋を下面に突起を備えた蓋で加圧して吸着材を押し込むように充填して容器を封止した、請求項６又は７記載の放射性物質で汚染された農業用水の除染設備。
【請求項９】
容器の手掛け用の縁片を掛止する凹部を備えたスタンドでもって複数の充填材入り容器を脱着自在に連接して配置した、請求項６〜８いずれか記載の放射性物質で汚染された農業用水の除染設備。
【請求項１０】
除染済みの農業用水をポンプでその水路の水源の池に戻して循環させるようにした、請求項６〜９いずれか記載の水源の放射性物質で汚染された農業用水の除染設備。
【考案の詳細な説明】
【技術分野】
【０００１】
本考案は、放射性物質で汚染された水を除染する技術に関し、詳しくは幅が狭い水路を流れる水を簡易な設備で除染できるようにする技術に関する。
【背景技術】
【０００２】
原子力発電所や使用済み核燃料の再処理施設で事故が発生すると、セシウム等の放射性物質が大気中に放出されて近隣の河川や湖、池等が汚染されることがある。河川では、水路の途中に放射性物質を吸着できる吸着材を設置して水を除染する方法があるが、幅の狭い側溝や用水路等は除染に必要な量の吸着材を設置できなかった。
【０００３】
一方、田畑がこれらを農業用水の水源として利用している場合、田畑も放射性物質で汚染され、土壌の浄化が必要となる。汚染されていない別の水源から給水することも考えられるが、稲作用の水田など大量の農業用水が必要な場合は困難であった。また、水源の全ての水を除染する場合は長期間を要し、その間は作物を作ることができなかった。
【先行技術文献】
【特許文献】
【０００４】
【非特許文献１】”農林水産技術会議／農地土壌の放射性物質除去技術（除染技術）について”、［online］、平成２３年９月１４日、農林水産省、［平成２４年９月１９日検索］、インターネット＜URL:http://www.s.affrc.go.jp/docs/press/110914.htm＞
【考案の概要】
【考案が解決しようとする課題】
【０００５】
本考案が解決しようとする課題は、従来のこれらの問題点を解消し、幅が狭い水路を流れる汚染された水を簡易な設備で除染できるようにすることにある。また、汚染された農業用水を田畑に取り込む前に除染し、且つ除染と並行して田畑も使用できるようにすることにある。
【課題を解決するための手段】
【０００６】
かかる課題を解決した本考案の構成は、
１）  放射性物質で汚染された水路の水を除染する除染設備であって、水中の放射性物質を吸着できる吸着材を通水性の容器に充填し、その吸着材入り容器を水路の水を外部へ排出する水の取込口の周囲を囲むように水路の外側に複数並べて配置し、吸着材入り容器内に流入した取込口からの水が吸着材で除染された後に吸着材入り容器で囲まれた場所の外側へ流れ出るようにしたことを特徴とする、放射性物質で汚染された水の除染設備
２）  水の取込口と吸着材入り容器で囲まれた位置との中間に取り込まれた水を複数の吸着材入り容器へ分散させる分散板を設置した、前記１）記載の放射性物質で汚染された水の除染設備
３）  吸着材が、稲わら又は籾殻を網袋に詰めたもので、その網袋を下面に突起を備えた蓋で加圧して吸着材を押し込むように充填して容器に封止された、前記１）又は２）記載の放射性物質で汚染された水の除染設備
４）  容器の手掛け用の縁片を掛止する凹部を備えたスタンドでもって複数の充填材入り容器を脱着自在に連接して配置した、前記１）〜３）いずれか記載の放射性物質で汚染された水の除染設備
５）  吸着材入り容器を通過した除染された水を容器外側で集めて再び水路へ戻すようにした前記１）〜４）記載の放射性物質で汚染された水の除染設備
６）  放射性物質で汚染された水源の農業用水を田畑に取り込む前に除染する除染設備であって、水中の放射性物質を吸着できる吸着材を通水性の容器に充填し、その吸着材入り容器を農業用水の取込口周囲を囲むように田畑に複数並べて配置し、吸着材入り容器内に流入した農業用水が吸着材で除染された後に吸着材入り容器で囲まれた場所の外側へ流れ出るようにしたことを特徴とする、放射性物質で汚染された農業用水の除染設備
７）  農業用水の取込口と吸着材入り容器で囲まれた位置に取り込まれた農業用水を複数の吸着材入り容器へ分散させる分散板を設置した、前記６）記載の放射性物質で汚染された農業用水の除染設備
８）  吸着材が、稲わら又は籾殻を網袋に詰めたもので、その網袋を下面に突起を備えた蓋で加圧して吸着材を押し込むように充填して容器を封止した、前記６）又は７）記載の放射性物質で汚染された農業用水の除染設備
９）  容器の手掛け用の縁片を掛止する凹部を備えたスタンドでもって複数の充填材入り容器を脱着自在に連接して配置した、前記６）〜８）いずれか記載の放射性物質で汚染された農業用水の除染設備
１０）  除染済みの農業用水をポンプでその水路の水源の池に戻して循環させるようにした、前記６）〜９）いずれか記載の水源の放射性物質で汚染された農業用水の除染設備
にある。
【考案の効果】
【０００７】
本考案の前記１）記載の構成によれば、放射性物質で汚染された水路の水が複数の容器内に流入すると、水中の放射性物質が吸着材で除去され、その除染された水が吸着材入り容器で囲まれた場所の外側へ流れ出る。流れ出た除染済みの水は、水路に戻すか又はそのまま放流する。したがって、除染に必要な量の吸着材を水路の幅の制限を受けずに設置でき、簡易な設備で容易に除染できるようになる。
【０００８】
本考案の前記６）記載の構成によれば、放射性物質で汚染された農業用水が複数の容器内に流入すると、水中の放射性物質が吸着材で除去され、その除染された農業用水が吸着材入り容器で囲まれた場所の外側へ流れ出る。したがって、汚染されていない別の水源から給水したり、水源の全ての水の除染を待つことなく、除染しながら田畑を使用できるようになる。
【図面の簡単な説明】
【０００９】
【図１】実施例の農業用水の除染設備を示す平面図である。
【図２】実施例の容器の一部切欠き説明図である。
【図３】実施例の分散板の断面図である。
【図４】実施例の他の例の水源の除染設備を示す説明図である。
【図５】実施例の他の例の除染設備を示す平面図である。
【考案を実施するための形態】
【００１０】
本考案では、水の取込口と容器で囲まれた位置の中間に取り込まれた水を分散させる分散板を設置すると、特定の容器への集中を防止できる。下面に突起を備えた蓋で容器に収容した網袋を押圧すると、吸着材が容器内に隙間なく押し詰められて汚染された水の素通りを防止できる。容器を脱着自在に配置するスタンドを設けると、吸着材の交換を容器単位で容易に行える。除染済みの水をポンプで水源に戻して循環させると、汚染された水源も同時に除染できる。
【実施例】
【００１１】
以下、本考案の実施例を図面に基づいて具体的に説明する。図１〜３に示す実施例は、稲作用の水田に使用される水路の農業用水を水田に取り込む前に除染しながら、水田も並行して使用できるようにする例である。
【００１２】
本実施例の容器４は、図２に示すように、側面に汚染水Ｗａを流通させる小孔４ａが形成され、開口部の周囲に手掛け用の縁片４ｂを備えた構造で、その容器４内に稲わらや籾殻からなる吸着材５を袋詰めした網袋５ａを収容し、下面に突起４ｃを備えた蓋４ｄで網袋５ａを押圧してクランプ４ｅで封止している。この突起４ｃによって、網袋５ａが変形して吸着材５が容器４内に隙間なく押し詰められ、汚染水Ｗａが容器４内を素通りすることなく吸着材５に確実に接触するようにしている。蓋４ｃが浮き上がる場合は、その上面に重りを載せても良い。
【００１３】
スタンド６は、全体が台形状で、水田２の用土Ｇａに載置される土台６ａと、容器４の縁片４ｂを掛合して支持するための凹部６ｂで構成され、容器４を隣設した際に容器４間の隙間がこの台形状のスタンド６によって塞がれ、汚染水Ｗａが素通りできないようにしている。分散板７は、図３に示すように、水田２の地盤Ｇに載置される土台７ａと、汚染水Ｗａを流通させる多数の小孔７ｂで構成されている。
【００１４】
図１に示すように、用水路１に稲作用の水田２が隣接しており、その用水路１側の水田２の隅部に農業用水を取り込むゲート３ａ付きの取込口３が設けられている。この取込口３を含む水田２のおよそ１０ｍ四方の領域を囲むように複数のスタンド６を設置し、そのスタンド６に複数の容器４を互いが密接するように４列に並べて脱着自在に設置する。さらに、この容器４で囲まれた位置に複数の分散板７を汚染水Ｗａが各容器４へ分散して流れるように設置する。取込口３と内側の列の容器４の前面には、ゴミ等の侵入を遮断するネット８を取り付ける。
【００１５】
取込口３からゲート３ａを取り外して用水路１の下流側を塞き止め、用水路１から汚染水Ｗａが容器４で囲まれた領域に取り込まれると、その汚染水Ｗａの流れが分散板７で遮られて流速が落ち、左右の分散板７間の隙間や小孔７ｂを通じて幅広く分散しながら各容器４へ向かって均等に流れる。容器４内に流入した汚染水Ｗａは、網袋５ａ内の吸着材５と接触して放射性物質が除去され、容器４の反対側に押し出される。このようにして、汚染水Ｗａが４列の容器４を段階的に通過し、その除染水Ｗｂが容器４で囲まれた場所の外側へ流れ出る。容器４の外側の水田２では、その除染水Ｗｂで稲作が行える。
【００１６】
吸着材５の吸着能力が飽和すると、容器４をスタンド６から外して網袋５ａを取り出し、新しい吸着材５が袋詰めされた網袋５ａを容器４に封入して処理を再開する。このスタンド６によって、吸着材５の交換が容器４単位で容易に行え、網袋５ａの詰め替え作業も水田２の外で行える。使用済みの吸着材５が入っている網袋５ａは、放射能が影響の無いレベルに下がるまで保管又は２次除染処理する。
【００１７】
図４に示すのは、汚染された水源の池を同時に除染できるようにした実施例の他の例である。この例では、湖や池等の水源９と水田２に隣接する排水路１０との間にポンプ１１を備えた戻し管１２を配管している。ポンプ１１を作動させると、水田２の除染済みの除染水Ｗｂが排水口１３から水源９に戻って循環し、水源９の放射性物質が徐々に減少する。水源９の水が完全に除染されると、水田２に設置していた容器４とスタンド６は不要となって撤去できる。その他、符号、構成、作用効果は実施例と同じである。
【００１８】
図５で示す実施例は、図１の実施例において吸着材入りの容器４を通過した除染された水をその外側に配置した防水の土塁１４によって集めて、再び用水路１の戻し口１５から用水路１に戻すものであり、戻し口１５より下方の用水路１の水は除染された水となり、そのまま下流で農業用水等で使用できる。この除染設備は用水路１（河川、側溝でも使用可）に沿って複数個所設けると、除染がより確実になされる。又、除染する場所は田畑でなくてもよく、一般の土地でも又はコンクリート製人工の除染場であってもよい。
【産業上の利用可能性】
【００１９】
本考案の技術は、河川・湖・池等を農業用水の水源として使用する田畑の汚染防止に有用である。又は河川、側溝、用水路の水の除染に有用である。
【符号の説明】
【００２０】
１    用水路
２    水田
３    取込口
３ａ  ゲート
４    容器
４ａ  小孔
４ｂ  縁片
４ｃ  突起
４ｄ  蓋
４ｅ  クランプ
５    吸着材
５ａ  網袋
６    スタンド
６ａ  土台
６ｂ  凹部
７    分散板
７ａ  土台
７ｂ  小孔
８    ネット
９    水源
１０  排水路
１１  ポンプ
１２  戻し管
１３  排水口
１４  土塁
１５  戻し口
Ｇ    地盤
Ｇａ  用土
Ｗａ  汚染水
Ｗｂ  除染水
【図１】
0003180436.tif 000003
【図２】
0003180436.tif 000004
【図３】
0003180436.tif 000005
【図４】
0003180436.tif 000006
【図５】
0003180436.tif 000007